(57)【要約】      （修正有）【課題】安全に、整然と配列された状態で保管することができる光ファイバコネクタ用保護キャップを提供する。【解決手段】光ファイバコネクタ１２の保護キャップ１１であって、磁石１４が前記キャップ１１の外周部の所定の位置に配置されている。【選択図】図１
2014115466.tif 000002
【特許請求の範囲】
【請求項１】
保護キャップであって、磁石が前記キャップの外周部の所定の位置に配置されていることを特徴とするキャップ
【請求項２】
複数個の前記磁石が等間隔に配置されていることを特徴とする請求項１に記載のキャップ。
【請求項３】
前記キャップの外周部の所定の位置に前記磁石に吸着する金属または金属化合物を含む部材が配置されていることを特徴とする請求項１記載のキャップ。
【請求項４】
前記キャップの外周部において、前記磁石は、１８０度、９０度、または６０度のいずれかの角度で配置されていることを特徴とする請求項２に記載のキャップ。
【請求項５】
前記磁石が配置された位置の近傍における前記キャップの断面形状は、円形、楕円形、四角形、六角形のいずれかであることを特徴とする請求項１、２のいずれかに記載のキャップ。
【請求項６】
前記磁石および前記磁石に吸着する金属または金属化合物を含む部材が交互に１８０度、９０度、または６０度のいずれかの角度で等間隔に配置されていることを特徴とする請求項３に記載のキャップ。
【請求項７】
前記磁石および前記磁石に吸着する金属または金属化合物を含む部材が配置された位置の近傍における前記キャップの断面形状は、円形、四角形、六角形のいずれかであることを特徴とする請求項３に記載のキャップ。
【請求項８】
前記磁石は前記キャップの半径方向に磁化していることを特徴とする請求項１ないし請求項７に記載のキャップ。
【請求項９】
前記磁石は前記キャップの長さ方向に磁化していることを特徴とする請求項１ないし請求項７に記載のキャップ。
【請求項１０】
前記複数の磁石はその外側が交互にＮ極とＳ極となるように配置されることを特徴とする請求項２，４，５、または８に記載のキャップ。
【発明の詳細な説明】
【技術分野】
【０００１】
本発明は、キャップに関し、特に電子機器、通信機器に用いられるさまざまな部品を保護し、整列させるための保護キャップに関する。
【背景技術】
【０００２】
一般に、電子機器、通信機器にはさまざまな部品が使用されている。電子機器、通信機器の使用者、管理者はこれら部品に障害が発生したときに備えて予備の部品を安全に、かつ整理して保管しておくことが求められる。これらの部品を保管する場合、部品を保護するための保護キャップが部品に取り付けられることがある。
【０００３】
例えば光ファイバの端部に配置される光コネクタは破損しやすく、埃の影響を受けやすいため、保管の際には保護キャップを装着しておくことが必須である。
【０００４】
図２は、関連技術における光ファイバキャップにＳＣコネクタを装着した使用例を示す図である。図２に示すように、光ファイバ２３は、ＳＣコネクタ２２を備えており、ＳＣコネクタ２２は、キャップ２１を装着している。
【０００５】
キャップ２１はプラスチック製であり、上述したように光ファイバのコネクタが保管されるときは、防塵のためＳＣコネクタ２２に装着されている。
【０００６】
その他、キャップおよび光ファイバコネクタのキャップは、特許文献２（特開平０５−０９２８０９号公報）、特許文献１（特表平１０−５０５６８５号公報）にも記載されている。
【先行技術文献】
【特許文献】
【０００７】
【特許文献１】特開平０５−０９２８０９号公報
【特許文献２】特表平１０−５０５６８５号公報
【発明の概要】
【発明が解決しようとする課題】
【０００８】
例えば、上述のような光ファイバコネクタのキャップは、小型であり、乱雑に保管しておくと破損のおそれがある。また当該キャップが装着される光コネクタも破損しやすいので、安全に、整然と配列された状態で保管されることが望まれる。
【０００９】
本発明の目的は、この課題を解決したキャップを提供することにある。
【課題を解決するための手段】
【００１０】
本発明は、保護キャップであって、磁石が前記キャップの外周部の所定の位置に配置されていることを特徴とする。
【発明の効果】
【００１１】
本発明は、キャップが散乱することがなく、キャップを整理して保管することが可能となる。同様に当該キャップが装着された部品も整理して保管することが可能となる。
【図面の簡単な説明】
【００１２】
【図１】本発明の第１の実施形態における光ファイバ用のキャップにＳＣコネクタを装着した使用例を示す図である。
【図２】関連技術における光ファイバ用のキャップにＳＣコネクタを装着した使用例を示す図である。
【図３】本発明の第１の実施形態における磁石のＳ極とＮ極の配置例を示す図である。
【図４】本発明の第１の実施形態における光ファイバ用のキャップが３つ配列した例を示す図である。
【図５】本発明の第２の実施形態における光ファイバ用のキャップにＳＣコネクタを装着した使用例を示す図である。
【図６】本発明の第２の実施形態における磁石のＳ極とＮ極の配置例を示す図である。
【図７】本発明の第２の実施形態における光ファイバ用のキャップが３つ配列した例を示す図である。
【図８】本発明の第３の実施形態における光ファイバ用のキャップにＳＣコネクタを装着した使用例を示す図である。
【図９】本発明の第３の実施形態における光ファイバ用のキャップが３つ配列した例を示す図である。
【図１０】本発明の第４の実施形態における光ファイバ用のキャップにＳＣコネクタを装着した使用例を示す図である。
【図１１】本発明の第４の実施形態における光ファイバ用のキャップが３つ配列した例を示す図である。
【図１２】本発明の第１の実施形態における光ファイバ用のキャップの上面図である。
【図１３】本発明の第１の実施形態における光ファイバ用のキャップが３つ配列した例の上面図である。
【図１４】本発明の第５の実施形態における光ファイバ用のキャップの上面図である。
【図１５】本発明の第５の実施形態における光ファイバ用のキャップが９つ配列した例の上面図である。
【図１６】本発明の第６の実施形態における光ファイバ用のキャップの上面図である。
【図１７】本発明の第６の実施形態における光ファイバ用のキャップが１０個配列した例の上面図である。
【図１８】本発明の第７の実施形態における光ファイバ用のキャップの上面図である。
【図１９】本発明の第８の実施形態における光ファイバ用のキャップの上面図である。
【図２０】本発明の第９の実施形態における光ファイバ用のキャップの上面図である。
【発明を実施するための形態】
【００１３】
以下、本発明の実施形態について、光ファイバ用のキャップを例にして、図面に基づき説明する。
（第１の実施形態）
図１は、本発明の第１の実施形態における光ファイバ用のキャップにＳＣコネクタを装着した使用例を示す図である。
【００１４】
図１に示すように、光ファイバ１３は、ＳＣコネクタ１２を備えており、ＳＣコネクタ１２は、キャップ１１を装着している。ＳＣコネクタ１２は、脱着が容易で一般的に普及しているコネクタである。
【００１５】
キャップ１１は、プラスチック製であり、上述したように光ファイバのコネクタが機器等と未接続のとき、防塵のためＳＣコネクタ１２に装着されている。キャップ１１の側面には、磁石１４が２つ配置されている。磁石はプラスチック製キャップの外周面に貼り付けら得るが、キャップ内部に埋め込まれて配置されることもできる。
【００１６】
次に、磁石１４の例を説明する。
【００１７】
図３は、本発明の第１の実施形態における磁石のＳ極とＮ極の配置例を示す図である。磁石１４は、磁石の厚み方向に磁化されていて、この例では磁石の左側がＮ極３１で右側がＳ極３２である。
【００１８】
図１の例では、左側の磁石１４のＳ極は、キャップ１１の側面に固定されており、右側の磁石１４のＮ極は、キャップ１１の側面に固定されている。
【００１９】
次に、図面を用いて本実施の形態を詳細に説明する。
【００２０】
図４は、本発明の第１の実施形態における光ファイバ用のキャップが３つ配列した例を示す図である。
【００２１】
図４に示すように、磁石１４の磁力により、キャップ１１の磁石１４のＮ極と別のキャップ１１の磁石１４のＳ極が引き合って接触する。その結果、３つのキャップ１１は規則正しく並ぶ。
【００２２】
図４は、光ファイバのコネクタに装着したキャップの使用例を示しているので、光ファイバのコネクタは機器等と未接続である。一方、光ファイバのコネクタが機器等と接続したときも、光ファイバのコネクタがない状態ではあるが、３つのキャップ１１は、同じように規則正しく並ぶ。
【００２３】
更に、図面を用いて本実施の形態の説明を続ける。
【００２４】
図１２は、本発明の第１の実施形態における光ファイバ用のキャップの上面図である。
【００２５】
図１２に示すように、キャップ１１の断面形状は円形である。上述の通り、キャップ１１の側面には磁石を２つ配置している。キャップの外周において、２つの磁石は１８０度の角度で等間隔に配置している。
【００２６】
図１３は、本発明の第１の実施形態における光ファイバ用のキャップが３つ配列した例の上面図である。
【００２７】
図１３に示すように、磁石１４の磁力により、キャップ１１の磁石１４のＮ極と別のキャップ１１の磁石１４のＳ極が引き合って接触する。その結果、上面から見ると、３つのキャップ１１は、一直線上に規則正しく並ぶ。
【００２８】
このように本発明を用いることでキャップが散乱することがなく、キャップを整理して保管することが可能となる。同様に当該キャップが装着された部品も整理して保管することが可能となる。
（第２の実施形態）
図５は、本発明の第２の実施形態における光ファイバ用のキャップにＳＣコネクタを装着した使用例を示す図である。
【００２９】
図５に示すように、キャップ１１の側面には、磁石５１を２つ配置している。
【００３０】
次に、磁石５１の例を説明する。
【００３１】
図６は、本発明の第２の実施形態における磁石のＳ極とＮ極の配置例を示す図である。磁石５１は、磁石の厚み方向と直交した方向に磁化されていて、この例では磁石の下側がＮ極６１で上側がＳ極６２である。
【００３２】
図５の例では、キャップの左側の磁石５１は、下側がＮ極で上側がＳ極になるようにキャップ１１の側面に固定されており、キャップの右側の磁石５１は、上側がＮ極で下側がＳ極になるようにキャップ１１の側面に固定されている。
【００３３】
第２の実施形態において、磁石１４を磁石５１の構成にしたこと以外は第１の実施形態と同様の構成を有する。よって、第１の実施形態と同一の構成要素には同一参照数字を付記してその説明を省略する。
【００３４】
次に、図面を用いて本実施の形態を詳細に説明する。
【００３５】
図７は、本発明の第２の実施形態における光ファイバ用のキャップが３つ配列した例を示す図である。
【００３６】
図７に示すように、磁石５１の磁力により、キャップ１１の磁石５１のＮ極と別のキャップ１１の磁石５１のＳ極が引き合って接触する。その結果、３つのキャップ１１は規則正しく並ぶ。
【００３７】
図７は、光ファイバのコネクタに装着したキャップの使用例を示しているので、光ファイバのコネクタは機器等と未接続である。一方、光ファイバのコネクタが機器等と接続したときも、光ファイバのコネクタがない状態ではあるが、３つのキャップ１１は、同じように規則正しく並ぶ。
【００３８】
このように本発明を用いることでキャップが散乱することがなく、キャップを整理して保管することが可能となる。同様に当該キャップが装着された部品も整理して保管することが可能となる。
（第３の実施形態）
図８は、本発明の第３の実施形態における光ファイバ用のキャップにＳＣコネクタを装着した使用例を示す図である。
【００３９】
図８に示すように、キャップ１１の左側の側面には磁石１４を配置し、右側の側面には鉄材８１を配置している。鉄材８１は、磁石に吸着する金属または金属化合物を含む部材でもよい。
【００４０】
第３の実施形態において、キャップ１１の左側の側面に磁石１４の構成にし、右側の側面に鉄材８１の構成にしたこと以外は第１の実施形態と同様の構成を有する。よって、第１の実施形態と同一の構成要素には同一参照数字を付記してその説明を省略する。
【００４１】
次に、図面を用いて本実施の形態を詳細に説明する。
【００４２】
図９は、本発明の第３の実施形態における光ファイバ用のキャップが３つ配列した例を示す図である。
【００４３】
図９に示すように、磁石１４の磁力により、キャップ１１の磁石１４のＮ極と別のキャップ１１の磁石１４の鉄材８１が引き合って接触する。その結果、３つのキャップ１１は規則正しく並ぶ。
【００４４】
図９は、光ファイバのコネクタに装着したキャップの使用例を示しているので、光ファイバのコネクタは機器等と未接続である。一方、光ファイバのコネクタが機器等と接続したときも、光ファイバのコネクタがない状態ではあるが、３つのキャップ１１は、同じように規則正しく並ぶ。
【００４５】
このように本発明を用いることでキャップが散乱することがなく、キャップを整理して保管することが可能となる。同様に当該キャップが装着された部品も整理して保管することが可能となる。
（第４の実施形態）
図１０は、本発明の第４の実施形態における光ファイバ用のキャップにＳＣコネクタを装着した使用例を示す図である。
【００４６】
図１０に示すように、キャップ１１の左側の側面には磁石５１を配置し、右側の側面には鉄材８１を配置している。鉄材８１は、磁石に吸着する金属または金属化合物を含む部材でもよい。
【００４７】
第３の実施形態において、キャップ１１の左側の側面に磁石５１の構成にし、右側の側面に鉄材８１の構成にしたこと以外は第１の実施形態と同様の構成を有する。よって、第１の実施形態と同一の構成要素には同一参照数字を付記してその説明を省略する。
【００４８】
次に、図面を用いて本実施の形態を詳細に説明する。
【００４９】
図１１は、本発明の第４の実施形態における光ファイバ用のキャップが３つ配列した例を示す図である。
【００５０】
図１１に示すように、磁石５１の磁力により、キャップ１１の磁石５１のＮ極及びＳ極と別のキャップ１１の鉄材８１が引き合って接触する。その結果、３つのキャップ１１は規則正しく並ぶ。
【００５１】
図１１は、光ファイバのコネクタに装着したキャップの使用例を示しているので、光ファイバのコネクタは機器等と未接続である。一方、光ファイバのコネクタが機器等と接続したときも、光ファイバのコネクタがない状態ではあるが、３つのキャップ１１は、同じように規則正しく並ぶ。
【００５２】
このように本発明を用いることでキャップが散乱することがなく、キャップを整理して保管することが可能となる。同様に当該キャップが装着された部品も整理して保管することが可能となる。
（第５の実施形態）
図１４は、本発明の第５の実施形態における光ファイバ用のキャップの上面図である。
【００５３】
図１４に示すように、キャップ１１の側面には磁石を４つ配置している。そして、キャップの外周において、４つの磁石は９０度の角度で等間隔に配置している。
【００５４】
第５の実施形態において、磁石１４を４つ配置したこと以外は第１の実施形態と同様の構成を有する。よって、第１の実施形態と同一の構成要素には同一参照数字を付記してその説明を省略する。
【００５５】
更に、図面を用いて本実施の形態の説明を続ける。
【００５６】
図１５は、本発明の第５の実施形態における光ファイバ用のキャップが９つ配列した例の上面図である。
【００５７】
図１５に示すように、磁石１４の磁力により、キャップ１１の磁石１４のＮ極と別のキャップ１１の磁石１４のＳ極が引き合って接触する。その結果、上面から見ると、９つのキャップ１１は、図のように規則正しく並ぶ。
【００５８】
このように本発明を用いることでキャップが散乱することがなく、キャップを整理して保管することが可能となる。同様に当該キャップが装着された部品も整理して保管することが可能となる。
（第６の実施形態）
図１６は、本発明の第６の実施形態における光ファイバ用のキャップの上面図である。
【００５９】
図１６に示すように、キャップ１１の側面には磁石を６つ配置している。そして、キャップの外周において、６つの磁石は６０度の角度で等間隔に配置している。
【００６０】
第６の実施形態において、磁石１４を６つ配置したこと以外は第１の実施形態と同様の構成を有する。よって、第１の実施形態と同一の構成要素には同一参照数字を付記してその説明を省略する。
【００６１】
更に、図面を用いて本実施の形態の説明を続ける。
【００６２】
図１７は、本発明の第６の実施形態における光ファイバ用のキャップが１０個配列した例の上面図である。
【００６３】
図１７に示すように、磁石１４の磁力により、キャップ１１の磁石１４のＮ極と別のキャップ１１の磁石１４のＳ極が引き合って接触する。その結果、上面から見ると、１０個のキャップ１１は、図のように規則正しく並ぶ。
【００６４】
このように本発明を用いることでキャップが散乱することがなく、キャップを整理して保管することが可能となる。同様に当該キャップが装着された部品も整理して保管することが可能となる。
（第７の実施形態）
図１８は、本発明の第７の実施形態における光ファイバ用のキャップの上面図である。
【００６５】
図１８に示すように、キャップ１１の断面形状は楕円、四角形、六角形、あるいは八角形の使用例である。
【００６６】
第７の実施形態において、キャップ１１の断面形状を楕円、四角形、六角形、あるいは八角形にしたこと以外は第１の実施形態と同様の構成を有する。よって、第１の実施形態と同一の構成要素には同一参照数字を付記してその説明を省略する。
【００６７】
このように本発明を用いることでキャップが散乱することがなく、キャップを整理して保管することが可能となる。同様に当該キャップが装着された部品も整理して保管することが可能となる。
（第８の実施形態）
図１９は、本発明の第８の実施形態における光ファイバ用のキャップの上面図である。
【００６８】
図１９に示すように、キャップ１１の断面形状は楕円、四角形、あるいは八角形の使用例である。
【００６９】
第８の実施形態において、キャップ１１の断面形状を楕円、四角形、あるいは八角形にしたこと以外は第５の実施形態と同様の構成を有する。よって、第５の実施形態と同一の構成要素には同一参照数字を付記してその説明を省略する。
【００７０】
このように本発明を用いることでキャップが散乱することがなく、キャップを整理して保管することが可能となる。同様に当該キャップが装着された部品も整理して保管することが可能となる。
（第９の実施形態）
図２０は、本発明の第９の実施形態における光ファイバ用のキャップの上面図である。
【００７１】
図２０に示すように、キャップ１１の断面形状は六角形の使用例である。
【００７２】
第９の実施形態において、キャップ１１の断面形状を八角形にしたこと以外は第６の実施形態と同様の構成を有する。よって、第６の実施形態と同一の構成要素には同一参照数字を付記してその説明を省略する。
【００７３】
このように本発明を用いることでキャップが散乱することがなく、キャップを整理して保管することが可能となる。同様に当該キャップが装着された部品も整理して保管することが可能となる。
【００７４】
また、一例として、図示していないがキャップ１１の断面形状は正三角形の使用例でも実施することが出来る。
【００７５】
本発明のキャップが光ファイバコネクタに適用される場合は、このコネクタが挿入されるキャップ部はコネクタの断面形状に合わせて断面が円形の凹部が形成されている。上述のさまざまな多角形断面を有するキャップの例は、磁石、磁石に吸着する金属、金属化合物を含む部材が配置されるキャップ側面部の断面形状が必ずしも円形である必要はなく、さまざまな多角形であり得ることを示すものである。この多角形断面のキャップは、円形の断面のキャップに比べ、キャップ、および該キャップを装着した電子部品などがより強固に吸着、配列し得るという効果がある。
【００７６】
尚、本願発明は、上述の実施形態に限定されるものではなく、本願発明の要旨を逸脱しない範囲で種々変更、変形して実施することが出来る。
【符号の説明】
【００７７】
１１、２１    キャップ
１２、２２    ＳＣコネクタ
１３、２３    光ファイバ
１４、５１    磁石
３１、６１    Ｎ極
３２、６２    Ｓ極
８１    鉄材
【図１】
2014115466.tif 000003
【図２】
2014115466.tif 000004
【図３】
2014115466.tif 000005
【図４】
2014115466.tif 000006
【図５】
2014115466.tif 000007
【図６】
2014115466.tif 000008
【図７】
2014115466.tif 000009
【図８】
2014115466.tif 000010
【図９】
2014115466.tif 000011
【図１０】
2014115466.tif 000012
【図１１】
2014115466.tif 000013
【図１２】
2014115466.tif 000014
【図１３】
2014115466.tif 000015
【図１４】
2014115466.tif 000016
【図１５】
2014115466.tif 000017
【図１６】
2014115466.tif 000018
【図１７】
2014115466.tif 000019
【図１８】
2014115466.tif 000020
【図１９】
2014115466.tif 000021
【図２０】
2014115466.tif 000022